(57)【要約】　　　（修正有）【課題】本発明は、長期間留守にしても、予め決めた時間に自動的に複数頭のペットに同量ずつ餌を与える装置を安価に提供するものである。【解決手段】水平面に対して互いに異なる特定角度を持った２枚の受け板１ａと受け板１ｂの下端部に隙間を持たせ、その隙間をペットフード４の供給口２ｆとする形状のホッパー１及び唯一の動力源であるモーター２ｄを、ゴム製の回転羽根２ａの回転軸２ｃに連結し、時刻設定タイマーの作動時刻によって、給餌量設定タイマーの設定時間値だけ、一定時間回転させることによって、一定量のペットフード４を複数の餌皿３ｄに供給するための仕切り板によって、任意の設定時刻に、複数の餌皿３ｄに必要な量を自動的に供給できるようにした自動給餌装置である。【選択図】図２
2004065220.tif 000002
【特許請求の範囲】
【請求項１】
上記課題を解決するために、本発明は、水平面に対して互いに異なる特定角度を持った２枚の受け板１ａと受け板１ｂの下端部に隙間を持たせ、その隙間をペットフード４の供給口２ｆとする形状のホッパー１及び唯一の動力源であるモーター２ｄを、ゴム製の回転羽根２ａの回転軸２ｃに連結し、時刻設定タイマー２ｅの作動時刻によって、給餌量設定タイマー２ｈの設定時間値だけ、一定時間回転させることによって、一定量のペットフード４を複数の餌皿３ｄに供給するための仕切り板３ａによって、任意の設定時刻に、複数の餌皿３ｄに必要な量を自動的に供給できるようにした自動給餌装置である。
【請求項２】
また、上記構成において、回転羽根２ａの先端部をゴム、スポンジ等の弾性体材質にすることで、回転羽根保持ドラム２ｂと回転羽根２ａとの間に位置する、供給口２ｆより落下したペットフード４の押し潰し、粉砕、引っ掛かりを回避する構造となる。
【請求項３】
更に、上記構成で給餌量設定タイマー２ｈの作動時間値を調整することで、回転時間が調整され、ペットフード４の供給量が自在に設定できる構造となる。
【発明の詳細な説明】
【０００１】
【産業上の利用分野】本発明は、犬及び猫等の愛玩動物にドライタイプのペットフードを自動給餌する装置に関する。
【０００２】
【従来の技術】従来、犬や猫の飼い主が長期間家を留守にすると、給餌を知人に依頼するか、ペットショップ等へ世話を依頼するしかなかった。特に、同時に多数のペットの場合、知人やペットショップでも容易には引き受けて貰えない。このため、留守にしてもペットに自動的に餌を与える装置の実用化が渇望されている。しかし、発明者は未だ市販品の存在を聞いていない。
【０００３】
【発明が解決しようとする課題】本発明は、上記実情に鑑みてなされたもので、長期間留守にしても、予め決めた時間に自動的に複数頭のペットに同量ずつ餌を与える装置を安価に提供するものである。
【０００４】
【課題を解決するための手段】上記課題を解決するために、本発明は、水平面に対して互いに異なる特定角度を持った２枚の受け板１ａと受け板１ｂの下端部に隙間を持たせ、その隙間をペットフード４の供給口２ｆとする形状のホッパー１及び唯一の動力源であるモーター２ｄを、ゴム製の回転羽根２ａの回転軸２ｃに連結し、時刻設定タイマー２ｅの作動時刻によって、給餌量設定タイマー２ｈの設定時間値だけ、一定時間回転させることによって、一定量のペットフード４を複数の餌皿３ｄに供給するための仕切り板３ａによって、任意の設定時刻に、複数の餌皿３ｄに必要な量を自動的に供給できるようにした自動給餌装置である。
【０００５】
また、上記構成において、回転羽根２ａの先端部をゴム、スポンジ等の弾性体材質にすることで、回転羽根保持ドラム２ｂと回転羽根２ａとの間に位置する、供給口２ｆより落下したペットフード４の押し潰し、粉砕、引っ掛かりを回避する構造となる。
【０００６】
更に、上記構成で給餌量設定タイマー２ｈの作動時間値を調整することで、回転時間が調整され、ペットフード４の供給量が自在に設定できる構造となる。
発明の詳細な説明
【０００７】
【発明実施の形態】本発明の実施の形態を図で説明する。図１は本発明の自動給餌装置の全体斜視図、図２は本発明の自動給餌装置の構成を示す側面断面図、図３は動力部の構成を示す配線図、図４は回転羽根の構造を示す分解組立図、図５は図３の配線図の動力を制御する仕組みを示すタイミングチャートである。
【０００８】
本発明の自動給餌装置の全体構成について図１乃至図５において説明する。自動給餌装置はホッパー１、供給機構２、排出機構３より構成されている。
【０００９】
ホッパー１は２枚の受け板１ａと受け板１ｂと供給口２ｆで構成される。受け板１ａ及び受け板１ｂは水平面に対して、互いに異なる勾配で位置し、最下端部で水平面上に隙間を持たせ、ペットフード４の供給機構２を構成している。
【００１０】前記受け板１ａ及び受け板１ｂが互いに異なる勾配を持っているので、ホッパー１に投入された一粒一粒のペットフード４が互いの摩擦力で絡み合い、下方に十分な隙間が開いているのにも拘らず、ホッパー１の途中で停留することを回避できる。
【００１１】
供給機構２は上記の供給口２ｆから供給されるペットフード４を排出機構３へ移送する回転羽根２ａと、回転羽根２ａを保持する回転羽根保持ドラム２ｂと回転の動力を供給するモーター２ｄ並びに、給餌時刻及び給餌量を制御する制御装置５で構成している。制御装置５は、モーター２ｄの回転時刻と回転時間を制御する時刻設定タイマー２ｅと給餌量設定タイマー２ｈとリレー２ｇで構成している。回転羽根２ａは、回転羽根２ａの先端部をゴム、スポンジ等の弾性体材質にすることで、回転羽根保持ドラム２ｂと回転羽根２ａとの間に位置する供給口２ｆより落下したペットフード４の押し潰し、粉砕、引っ掛かりを回避する構造となる。
【００１２】
図５は上記制御装置５の動作タイミングを示したタイミングチャートである。時刻設定タイマー２ｅを経由して通電されるモーター２ｄは、時刻設定タイマー２ｅの起動時刻になると、通電によってスタート信号５ａがオンになり、リレー２ｇの接点が閉じてモーター２ｄに通電信号５ｂが伝わり、モーター２ｄが回転を始める。モーター２ｄの回転時間は給餌量設定タイマー２ｈの制御機能によって、一定時間作動したあと通電を停止し、リレー２ｇが接点を開いて次のスタート信号５ｃを待つ。スタート信号５ｃで同じ動作を繰り返す。
【００１３】
排出機構３は供給機構２から送出されたペットフード４を、複数の餌皿３ｄへ同量のペットフード４を仕分けする仕切り板３ａを有した排出路３ｂを経由して複数の餌皿３ｄへ重力によって排出する構造となる。
【００１４】
【実施例】
【００１５】
図１に本発明の実施例の斜視図を示す。図１の餌皿３ｄに排出されるペットフード４は、先ず、ホッパー１に蓄えられ、供給口２ｆで停留する。時刻設定タイマー２ｅの起動によって、供給機構２の回転羽根２ａが一定時間回転することで、ペットフード４は定量だけ排出機構３へ送出される。排出機構３へ送出されたペットフード４は排出路３ｂを経由して必要な餌皿３ｄの数量だけ排出される。次の設定時刻になると、同様の動作が繰り返される。図４に回転羽根２ａの実施例を示す。回転羽根２ａと回転軸２ｃは回転軸固定板２ｉで連結され、モーター２ｄの動力が回転羽根２ａに伝達される。モーター２ｄが回転するとホッパー１より供給機構２に送出されたペットフード４は回転羽根２ａと回転羽根保持ドラム２ｂにて抱え込まれたペットフード４を重力と相俟って排出路３ｂへ送り込む。回転羽根２ａが回転している間中ペットフード４を排出路３ｂへ送出し続ける。排出路３ｂは複数の餌皿３ｄに対応して、仕切り板３ａで分けられ、各餌皿３ｄに同量のペットフードを排出する。
【発明の効果】
【００１６】本発明を利用して安価な商品が開発されれば、ペットを飼う人はいつでも安心して旅行に出かけることができる。また、製造、販売を行うことで、ペットショップ産業やホームセンター産業における市場が開拓される効果が期待できる。
【図面の簡単な説明】
【図１】本発明の斜視図
【図２】図１の縦断側面図
【図３】動力部配線図
【図４】本発明の回転羽根の分解組立図
【図５】動力部制御回路のタイミングチャート
【符号の説明】
１　ホッパー
１ａペットフード受け板
１ｂペットフード受け板
２　供給機構
２ａ回転羽根保持ドラム
２ｃ回転軸
２ｄモーター
２ｅ時刻設定タイマー
２ｆ供給口
２ｇリレー
２ｈ給餌量設定タイマー
２ｉ回転軸固定板
２ｊ軸受け固定板
３　排出機構
３ａ仕切り板
３ｂ排出路
３ｃ排出口
３ｄ餌皿
４　ペットフード
５　制御装置
６　本体
７　軸受け
８　ジョイント
【図１】
2004065220.tif 000003
【図２】
2004065220.tif 000004
【図３】
2004065220.tif 000005
【図４】
2004065220.tif 000006
【図５】
2004065220.tif 000007